(57)【要約】      （修正有）【課題】使い勝手のよい額縁を提供する。【解決手段】裏板１と枠体２の間隙３を該枠体の開口４周縁に係止代５を残して周壁６により三方から包囲して形成される額縁本体７と、艶消し加工された透明材料からなる表板材に裏板材を連結して間に絵画等を差し込み可能に形成され、前記間隙と近似する厚さに形成されて周壁の開放部１０から間隙３内に挿入され、かつ、前記係止代５に表板材の周縁部を係止して枠体２の開口４から脱離不能に額縁本体７に保持される保護体とを有して額縁を構成する。【選択図】図３
2014057806.tif 000002
【特許請求の範囲】
【請求項１】
裏板と枠体の間隙を該枠体の開口周縁に係止代を残して周壁により三方から包囲して形成される額縁本体と、
艶消し加工された透明材料からなる表板材に裏板材を連結して間に絵画等を差し込み可能に形成され、前記間隙と近似する厚さに形成されて周壁の開放部から間隙内に挿入され、かつ、前記係止代に表板材の周縁部を係止して枠体の開口から脱離不能に額縁本体に保持される保護体とを有する額縁。
【請求項２】
前記保護体は、合成樹脂材により形成されて艶消し加工が施された板材を折曲して形成される請求項１記載の額縁。
【請求項３】
前記絵画等を表板材に近接する方向に付勢する弾性板材を有する請求項１または２記載の額縁。
【発明の詳細な説明】
【技術分野】
【０００１】
本発明は額縁に関するものである。
【背景技術】
【０００２】
従来、額縁は例えば特許文献１に示すように、枠状の額本体の裏面にトンボを回転可能に装着したものが知られている。この従来例において額縁は、額本体の内周縁に形成された突出縁により透明板の周縁部を表面側から受け、この透明板の裏面側に油絵、裏板を順次重ねた上で、トンボにより裏板を裏面側から押さえつけるようにして透明板と裏板との間に油絵を収容、保持する。
【０００３】
しかしながら、以上のようにトンボを用いて裏面側から絵画等を押さえ付けるようにして保持すると、額縁に飾る絵画等を交換したいときには、先ず、トンボを裏板の裏面から外れる位置に回転操作した上で、裏板、絵画等を順に額本体から取り外し、次いで、交換する絵画等、裏板を順に取り付け、最後にトンボを裏板の裏面に重なる位置に戻す操作をしなければならず、非常に面倒であるという問題がある。
【０００４】
この点、例えば特許文献２には、上述のトンボを用いることなく絵画等の交換をよりしやすくすることが可能な額縁が提案されている。この第２の従来例において、枠体の側縁部にはスリット状の挿通孔が形成されており、抜きマットの上端部は裏板の頂部に剥離可能に貼着られ、絵は抜きマットと裏板に挟持された上で、上記挿通孔にスライド挿入される。この挿通孔は枠体の開口部分と繋がっているが、上述した抜きマット等のほかに透明な板状部材からなる透明体もスライド挿入され、この透明体が抜きマットの表面側に位置することにより、絵が枠体の開口部分において外部に露出することはない。
【先行技術文献】
【特許文献】
【０００５】
【特許文献１】特開２００８-１６７８１２
【特許文献２】実開平０３-１１８０５９号公報
【発明の開示】
【発明が解決しようとする課題】
【０００６】
しかしながら、上述した第２の従来例は使い勝手が悪いという欠点がある。すなわち、絵は抜きマットと裏板による挟持状態において抜きマットの開口部分を介して外部に露出するために、スライド移動時に枠体や透明体に擦れて傷ついてしまうおそれがある。
【０００７】
この問題は挿通孔の幅寸法を絵や抜きマット、裏板の合計の幅寸法に比べて格段大きくすれば解消できるが、この場合には枠体内で絵が傾くなどして鑑賞がしずらくなってしまう。また、予め絵に透明体を重ねておいてから枠体にスライド挿入するなどすれば、透明体によって絵を保護することも不可能ではないが、スライド移動の際に終始透明体を絵に一体に重なるように保持するのは難しく、透明体が絵に対してずれてしまうと絵が透明体に擦れて傷つくおそれがある。また、仮に透明体と絵を上手に一体に保持できたとしても、スライド移動の際には透明体が枠体に擦れて傷ついてしまうおそれがあり、枠体への収納後にはこの透明体が絵等の前面に位置するために擦り傷等があると絵等の鑑賞がしずらくなる。
【０００８】
本発明は以上の欠点を解消すべくなされたものであって、使い勝手のよい額縁の提供を目的とする。
【課題を解決するための手段】
【０００９】
本発明によれば上記目的は、
裏板１と枠体２の間隙３を該枠体２の開口４周縁に係止代５を残して周壁６により三方から包囲して形成される額縁本体７と、
艶消し加工された透明材料からなる表板材８に裏板材９を連結して間に絵画等Ａを差し込み可能に形成され、前記間隙３と近似する厚さに形成されて周壁６の開放部１０から間隙３内に挿入され、かつ、前記係止代５に表板材８の周縁部を係止して枠体２の開口４から脱離不能に額縁本体７に保持される保護体１１とを有する額縁を提供することにより達成される。
【００１０】
本発明によれば、額縁本体７は、裏板１と枠体２の間隙３を周壁６により三方から包囲し、一側方に開放して形成される収容部分を備える。上記周壁６は枠体２の開口４周縁部よりも外側に配置され、これにより、収容物の開口４からの脱離を防止するための係止代５が開口４周縁部に形成される。
【００１１】
一方、保護体１１は、表板材８と裏板材９との間に絵画等Ａを差し込むことができるように形成されており、絵画等Ａを表裏方向から挟むようにして一体に重なり、保護することができる。この保護体１１は上述した額縁本体７の間隙３と近似する厚さにされるために、間隙３内に挿入した際に妄りに傾くことはなく、挿入時に座屈変形もしにくい上に、挿入状態で上述した係止代５に表板材８の周縁部が係止することにより額縁本体７の開口４から脱落することもない。
【００１２】
さらに、上記表板材８は艶消し加工された透明材料により構成されており、透過することで裏面側に配置された絵画等Ａの鑑賞を可能にし、その透過性は、上述したように絵画等Ａを挟むようにして絵画等Ａに近接していることで良好に確保される。この表板材８は、艶消し加工による凹凸を備えることから、上述した間隙３に挿入する際に仮に擦れて傷ついたとしても、傷があまり目立つことがない。
【００１３】
したがって本発明によれば、絵画等Ａは保護体１１により表裏を覆われて受傷を防止できる上に、このような保護体１１を表板材８に裏板材９を連結して間に絵画等Ａを差し込み可能にして形成することにより、絵画等Ａに保護体１１を容易に一体に保持することができる。また、上述保護体１１は間隙３と近似する厚さに形成されるために、額縁本体７内で妄りに傾くことはない。
【００１４】
さらに、絵画等Ａの表面に艶消し加工された表板材８を配置することにより、スライド移動時に額縁本体７に擦れて擦り傷が生じたとしても艶消し加工に紛れて目立つことがない。加えて、艶消し加工は近接した位置に配置されたものに対しては良好な透過性を発揮することが可能であり、本発明においては絵画等Ａを保護体１１が挟み付けることによって表板材８の絵画等Ａとの近接した位置関係が保証されることから、艶消し加工された表板材８越しでも絵画等Ａを良好に眺めることが可能になる。以上のように、本発明によれば、スライド移動によって絵画等Ａを額縁本体７に出し入れすることにより、飾る絵画の交換を容易にすることができる上に、スライド移動時に表板材８が額縁本体７に擦れて傷ついてしまっても絵画等を良好に鑑賞することができる。
【００１５】
また、上述した艶消し加工によれば、額縁本体７の開口４から外部に露出する表板材８表面の光沢を抑えることも可能になるために、照明光の直接照射下で快適に絵画等Ａの鑑賞を楽しむことも可能になるし、表板材８表面の凹凸によって入射光を乱反射させることもできることから、絵画等Ａが日に焼けてしまうことを低減することも可能になる。
【００１６】
表板材８は例えばガラス等、適宜の透明材料を用いて構成することが可能であり、一方、裏板材９は透明である必要はなく、単に絵画等Ａの保護に適した適宜の強度を備えた板材によって構成すれば足りる。表板材８と裏板材９との連結は、これらが合成樹脂材で形成されているときには溶着によることが可能であるが、合成樹脂材により形成されて艶消し加工が施された板材を折曲して表板材８と裏板材９、すなわち保護体１１を形成した場合には、保護体１１の製造自体を極めて簡単にすることができる。
【００１７】
また、絵画等Ａを表板材８に近接する方向に付勢する弾性板材１２を設ければ、艶消し加工された表板材８に絵画等Ａの表面を良好に近接させ、その透過性を良好に確保することが可能になる。さらに、裏板１と枠体２とが重合する位置において、保護体１１の外表面に圧接する弾性体を上述した収容部分内に設ければ、絵画等Ａを間隙３内により安定して保持することが可能になる。この場合、上記弾性体を突起状に形成し、保護体１１のスライド挿入先端部に対応する位置に配置すれば、保護体１１のスライド挿入のしやすさをあまり損ねることはない。
【発明の効果】
【００１８】
以上の説明から明らかなように、本発明によれば、使い勝手のよい額縁を提供することができ、絵画等の鑑賞をより手軽かつ快適に楽しむことができる。
【図面の簡単な説明】
【００１９】
【図１】本発明に係る額縁を含む額縁セットの使用状態を示す斜視図である。
【図２】保護体の構造、および絵画などへの組み付け作業を説明する図である。
【図３】額縁本体を示す図で、（ａ）は正面図、（ｂ）は背面図、（ｃ）は（ａ）の３Ｃ-３Ｃ線半断面図である。
【図４】額縁本体を示す図で、（ａ）は図３（ｂ）の４Ａ-４Ａ線断面図、（ｂ）は製作作業を説明する図である。
【図５】額縁本体への保護体の挿入作業、および挿入状態を説明する図で、（ａ）は挿入作業を説明する図、（ｂ）は挿入状態における挿入後端部近傍を示す要部縦断面図、（ｃ）は挿入状態における挿入先端部近傍を示す要部縦断面図である。
【図６】据え置き式室内用消臭剤を示す図で、（ａ）は側面図、（ｂ）は製作作業を説明する斜視図、（ｃ）は消臭剤や芳香剤の揮散経路を説明する図である。
【発明を実施するための形態】
【００２０】
図１ないし図６に本発明の実施の形態を示す。この実施の形態は本発明に係る額縁Ｂを含めて絵画セットを構成したもので、この絵画セットは、図１および図２に示すように、額縁Ｂに加え、この額縁Ｂに収容される絵画（絵画等Ａ）と、額縁立てＣと、敷き物Ｄとを有する。なお、以下の説明においては、図１に示す設置姿勢を基準にして額縁Ｂ等の幅方向や高さ方向を説明する。また、上記絵画Ａとして横長のものを飾るこの実施の形態において、額縁Ｂは矩形形状に形成されて図１に示すように長辺を幅方向、すなわち横長の絵画Ａに合わせた向きにして使用されるが、絵画Ａが縦長であるときには額縁Ｂを９０度回転させ、短辺を幅方向に合わせて使用することができる。さらに、絵画Ａが正方形であれば額縁Ｂを正方形にすれば足りるが、そもそも絵画Ａが見栄え良く展示できれば額縁Ｂを必ずしも絵画Ａに合わせた形状にする必要はない。
【００２１】
上述した額縁立てＣは、例えば略Ｌ字形状の支持片２１の一対を直線部分同士で水平回転可能に連結して形成され、その上端部で額縁Ｂの裏面中央部を、Ｖ字状に開いた下端部で額縁Ｂの下縁部をそれぞれ支承する。したがって絵画セットは、図１に示すように、額縁Ｂ内に絵画Ａを収容し、棚等の適宜の設置面２２の上に敷き物Ｄを敷いて額縁立てＣを用いて額縁Ｂを立てることにより、そのまま絵画Ａを楽に、かつ綺麗に飾ることができる。なお、額縁立てＣは上述した以外に例えば、額縁Ｂの背面中央部に一端部が取り付けられて額縁Ｂの背面とＶ字状に交差する方向に延びる棒状部材など適宜のものを用いることが可能である。
【００２２】
一方、上述した額縁Ｂは、図１ないし図３に示すように、額縁本体７と、絵画Ａを表裏から覆って額縁本体７内に収容される保護体１１とを有する。保護体１１は、一端縁の連結部２３を介して連結された同一形状、サイズからなる表板材８と裏板材９とを有する。この保護体１１は、表板材８と裏板材９との間に絵画Ａに加え、後述する額装マット２４やクッション材（弾性板材１２）をも挟み込むようにして覆うものであり、このため正面視において絵画Ａより一回り大きいサイズに形成され、表板材８と裏板材９との間隔、すなわち連結部２３の奥行きは、これら絵画Ａなどを挟持することができるように、これらの厚さの合計よりもやや短い程度にされる。
【００２３】
以上の保護体１１は、具体的には図２に示すように、艶消し加工された一枚の略矩形状からなる透明樹脂シート材を中央で折り曲げ加工して製作される。これにより上述した表板材８と裏板材９とは折り曲げ部分を連結部２３として、該連結部２３を中心にした弾性変形によって多少見開き状などに開閉可能に、一体に連結される。また、上記透明樹脂シート材には一方の面にのみ艶消し加工が施されており、上述の折り曲げ加工においては艶消し加工面が外面側にされる。なお、艶消し加工は保護体１１の内外面に施しておいてもよく、この場合には例えば上述した透明樹脂シート材として表裏に艶消し加工を施したものを用いれば足りる。
【００２４】
上述した額装マット２４は、図２に示すように、絵画Ａとほぼ同じ外形寸法を備え、中央部には重ね合わせられる絵画Ａの鑑賞に適したサイズの窓部２４ａが開設される。この額装マット２４は、この実施の形態においては適宜の厚さを備えた板紙に窓部２４ａを裁断等して形成される。また、上記クッション材１２は、弾性材料をシート状にしたもので、絵画Ａとほぼ同じ外形寸法に形成される。このクッション材１２は具体的にはスポンジからなる。
【００２５】
一方、上記額縁本体７は、図３および図４（ａ）に示すように、保護体１１を収容する収容部２６と、収容部２６内の保護体１１を表面側に露出させる開口４とを有する。上記収容部２６は一側方に開放するスリット状に形成され、そのスリット幅は、上述した保護体１１の厚さよりもやや少し大きくされる。これにより額縁本体７の一側方には、保護体１１を収容部２６内にスライド挿入するための開放部１０が形成される。また、開放部１０の裏面側の中央縁部には、図３（ｂ）に示すように、収容部２６内に収容された保護体１１の上端部を摘むやすくするための半円弧状の切り欠き２７が形成される。
【００２６】
一方、上記開口４は、上述した保護体１１よりも一回り小さいサイズに形成される。その幅寸法は収容部２６よりもやや狭くされるとともに、収容部２６の底面、すなわち収容部２６の開放部１０反対端縁よりもやや中央寄りに配置され、これにより開口４の周縁部に係止代５が確保される。
【００２７】
さらに、上述した収容部２６内には、正面視において開口４と重なる位置を避けて突起２８が表裏方向に突設される。この突起２８は弾性変形可能な材料により形成され、保護体１１に圧接して収容部２６内に保護体１１を保持する。以上の突起２８は図３（ａ）等に示すように収容部２６の底面近傍に配置され、幅方向の線対称位置に一対設けられる。
【００２８】
以上の額縁本体７は、具体的には図３および図４（ａ）に示すように、枠状の表面部材（枠体２）と、板状の裏面部材（裏板１）と、これら表面部材と裏面部材との間に介装される周縁部材（周壁６）とを組み付けて形成される。上記表面部材２は、短冊近似の木材からなる枠材の４枚を矩形状に枠組みして形成される。上記裏面部材１は、矩形板状の木材からなり、その正面視の外形寸法が表面部材２にほぼ一致する。上記周縁部材６は、上記枠材をやや幅狭にした木材からなる周縁材の３枚をコ字形状に組み付けて形成され、その正面視の外形寸法が表面部材２における枠材の３枚とほぼ一致する。この周縁部材６の厚さは、上述した保護体１１の厚さよりもやや少し大きくされる。
【００２９】
この額縁本体７は、図４（ｂ）に示すように、裏面部材１、周縁部材６、表面部材２の順に接着剤２９でこれらを上下に重ねて接着することにより製作される。接着は、裏面部材１、周縁部材６、および表面部材２のそれぞれの外周縁を合わせるようにしてなされ、これにより表面部材２と裏面部材１の間隙３が周縁部材６により三方から包囲され、一側方に向かって開放部１０により開放する上述した収容部２６が形成される。
【００３０】
また、この製作に際しては、図４（ｂ）に示すように、周縁部材６と重なる位置を避け、かつ表面部材２と重なる位置において接着剤２９が裏面部材１の表面に点状に滴下され、これが硬化することにより上述した突起２８が形成される。このため、接着剤２９としては、硬化後に弾性を発揮する適宜のものが使用される。なお、図４（ｂ）において３０は内部に接着剤が充填されたチューブ状のケースである。
【００３１】
以上の額縁Ｂは、先ず、図２に示すように、保護体１１に額装マット２４、絵画Ａ、クッション材１２の順に重ね合わせて差し込み、次いで、図５（ａ）２点鎖線でに示すように保護体１１を開放部１０から収容部２６にスライド挿入してなされる。このスライド挿入作業は、連結部２３を先頭にすることでスムーズに進めることができる。
【００３２】
保護体１１が収容部２６の底面近くまで挿入されると、その挿入先端である連結部２３が突起２８に衝接するが、ここで保護体１１がさらに押し込まれると、突起２８やクッション材１２を適宜弾性変形させて突起２８と表面部材２との間に保護体１１が圧入される。保護体１１は収容部２６の内壁と表裏において近接することから、上記押し込み操作によって容易に座屈することはない。また、連結部２３が上述したように折り曲げ加工により先端を断面半円弧状にして、すなわち挿入先端に行くに従って漸次その厚さを狭くして形成されるために、上述した押し込み操作によって突起２８をスムーズに乗り越えることができる。
【００３３】
保護体１１が収容部２６のほぼ底面に達した状態で、図５（ｂ）および（ｃ）に示すように、上端は収容部２６内に収まり、下端部は突起２８と表面部材２との間に圧迫保持される。したがってこの状態で開放部１０を下に向けても、保護体１１が収容部２６から容易に抜け出すことはなく、保護体１１内に差し込まれている絵画Ａが脱落することもない。また、この状態で表板材８の周縁部は係止代５、すなわち表面部材２の開口４周縁部に係止しており、このため開口４から保護体１１が抜け出すこともない。
【００３４】
額縁Ｂに飾る絵画Ａを交換したい時には、保護体１１を上述した圧迫保持の力に抗して収容部２６から引っ張り出した後、保護体１１内の絵画Ａを入れ替えて再度収容部２６に収容すればよい。保護体１１を収容部２６から引き出す際には、上述した切り欠き２７を利用して保護体１１の上端部を指でしっかりと摘むことにより、引っ張り力を加えやすくなる。
【００３５】
また、上述した敷き物Ｄは、図６（ａ）に示すように、基材（支持板材１３）上に布（担体１５）を重ねて形成される。この敷き物Ｄは据え置き式の室内用消臭剤として機能するもので、上記布１５には揮発性の消臭剤（消臭薬剤１４）が担持される。
【００３６】
消臭剤１４としてゲル状のものを使用するこの実施の形態において、布１５への消臭剤１４の担持は、図６（ｂ）に示すように、布１５の表面に消臭剤１４を塗り込み、これにより布１５内部に消臭剤１４を浸透させてなされる。なお、消臭剤１４は例えば液状など適宜の態様のものを用いることが可能で、この場合、例えば布１５への消臭剤１４の担持は、布１５を液状の消臭剤１４に浸漬し、消臭剤１４を含浸させるなどしてなされる。また、図６において３１は消臭剤１４のケースである。なお、上記布１５は、額縁立てＣの周辺を装飾できるように例えば模様のある織物で構成される。
【００３７】
一方、基材１３は、多孔質材料によりシート状に形成される。この基材１３は、合成樹脂材に発泡剤を混合してフォーム状に形成される。また、合成樹脂材として軟質のウレタンを利用することにより適宜の弾性を備える。
【００３８】
したがって上述した設置面２２上に載置すると、図６（ｃ）に示すように、布１５の上面のみならず、基材１３中の空隙を利用して下面からもから消臭剤１４が空気中に露出し、消臭成分が極めて良好に室内に揮散して悪臭成分を中和したり、あるいは芳香成分が極めて良好に室内に揮散して悪臭を抑えたり、さらには脱臭成分に悪臭成分を極めて良好に吸着させたりして悪臭を効果的に除去することができる。
【００３９】
なお、上述した実施の形態においては、本発明に係る額縁Ｂを含めて絵画セットを構成する場合を示したが、額縁Ｂ単体、さらには額縁Ｂを額縁立てＣや敷き物Ｄなどとセットにした額縁セットなどとして構成することも可能である。また、額縁Ｂには絵画Ａ以外に押し花Ａなど適宜の薄い鑑賞物を飾ることが可能である。
（付記１）
裏板と枠体の間隙を該枠体の開口周縁に係止代を残して周壁により三方から包囲して形成される額縁本体と、
艶消し加工された透明材料からなる表板材に裏板材を連結して間に絵画を差し込み可能に形成され、前記間隙と近似する厚さに形成されて周壁の開放部から間隙内に挿入され、かつ、前記係止代に表板材の周縁部を係止して枠体の開口から脱離不能に額縁本体に保持される保護体とを有する額縁。
（付記２）
前記保護体は、艶消し加工された合成樹脂材からなる板材を折曲して形成される付記１記載の額縁。
（付記３）
前記絵画を表板材に近接する方向に付勢する弾性板材を有する付記１または２記載の額縁。
（付記４）
通気性を備えた材料により板状に形成されて揮発性の消臭薬剤を担持する担体と、
前記担体の下面側に配置される多孔質材料からなる支持板材とを有してシート状に形成される据え置き式室内用消臭剤。
【符号の説明】
【００４０】
１  裏板
２  枠体
３  間隙
４  開口
５  係止代
６  周壁
７  額縁本体
８  表板材
９  裏板材
１０  開放部
１１  保護体
１２  弾性板材
Ａ  絵画等
【図１】
2014057806.tif 000003
【図２】
2014057806.tif 000004
【図３】
2014057806.tif 000005
【図４】
2014057806.tif 000006
【図５】
2014057806.tif 000007
【図６】
2014057806.tif 000008